【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
第１の複数のアクセスポイント（ＡＰ）に対応する支援データを提供するための方法であって、
第１の支援データをモバイルデバイスに提供することと、ここにおいて、前記第１の支援データが、前記第１の複数のＡＰの間で共通である第１のグループデータを備え、前記第１のグループデータが、第１のグループ識別子（ＩＤ）によって識別される、
前記第１のグループＩＤ、および前記第１の複数のＡＰのうちの少なくとも１つに対するＡＰ固有の情報のセットを提供することとを備える、方法。
【請求項２】
前記第１の複数のＡＰの１つまたは複数の特性を解析することによって前記第１のグループデータを決定することをさらに備える、請求項１に記載の方法。
【請求項３】
第２の支援データを第２の複数のＡＰに対応する前記モバイルデバイスに提供することと、ここにおいて、前記第２の支援データが前記第２の複数のＡＰの間で共通である第２のグループデータを備え、前記第２のグループデータが第２のグループＩＤと関連付けられ、前記第２の複数のＡＰが前記第１の複数のＡＰ内の前記ＡＰのうちの少なくとも１つを備える、
前記第２のグループＩＤを提供することとをさらに備える、請求項１に記載の方法。
【請求項４】
前記第１の複数のＡＰ内または前記第２の複数のＡＰ内の前記ＡＰのうちの少なくとも１つは、前記第１の複数のＡＰと前記第２の複数のＡＰの両方の中にあるわけではない、請求項３に記載の方法。
【請求項５】
第１の複数のアクセスポイント（ＡＰ）に対応する支援データを提供するための装置であって、
第１の支援データをモバイルデバイスに提供するための手段と、ここにおいて、前記第１の支援データが、前記第１の複数のＡＰの間で共通である第１のグループデータを備え、前記第１のグループデータが、第１のグループ識別子（ＩＤ）によって識別される、
前記第１のグループＩＤ、および前記第１の複数のＡＰのうちの少なくとも１つに対するＡＰ固有の情報のセットを提供するための手段とを備える、装置。
【請求項６】
複数のアクセスポイント（ＡＰ）に対応する支援データを取得するための方法であって、
第１の支援データをデバイスから受信することと、ここにおいて、前記第１の支援データが、前記複数のＡＰの間で共通である第１のグループデータを備え、前記第１のグループデータが、第１のグループ識別子（ＩＤ）によって識別される、
前記第１のグループＩＤ、および前記複数のＡＰの間の少なくとも１つのＡＰに対するＡＰ固有の情報のセットを受信することと、
前記第１のグループＩＤおよびＡＰ固有の情報の前記セットに基づいて前記少なくとも１つのＡＰに対応するＡＰ近傍の情報を決定することとを備える、方法。
【請求項７】
前記第１のグループデータが、前記複数のＡＰに対する共通のロケーションエリアに対応する情報を備える、請求項１または６に記載の方法。
【請求項８】
前記第１のグループデータが、高度変更が前記共通のロケーションエリア内で許容されるかどうかの表示を備える、請求項７に記載の方法。
【請求項９】
前記第１のグループデータが、前記複数のＡＰの各々に対応するＡＰ固有の情報を決定することに使用される基準グリッドに対応する情報を備える、請求項１または６に記載の方法。
【請求項１０】
前記基準グリッドが、共通のグリッドポイント間隔、共通のグリッド原点および共通のグリッド方向のうちの少なくとも１つを備える、請求項９に記載の方法。
【請求項１１】
前記第１のグループデータが、バージョンおよび有効期間のうちの少なくとも１つを備える、請求項１または６に記載の方法。
【請求項１２】
前記第１のグループデータが、ＡＰ製造業者、ＡＰモデル、チップ製造業者、チップモデルおよびシグナリングタイプのうちの少なくとも１つの識別情報を備えるＡＰの１つまたは複数の共通の特性を備える、請求項１または６に記載の方法。
【請求項１３】
第２の複数のＡＰに対応する第２の支援データを受信することをさらに備え、前記第２の支援データが前記第２の複数のＡＰの間で共通である第２のグループデータを備え、前記第２のグループデータが第２のグループＩＤと関連付けられ、前記第２の複数のＡＰが前記第１の複数のＡＰ内の前記ＡＰのうちの少なくとも１つを備える、請求項６に記載の方法。
【請求項１４】
請求項１〜４および６〜１３のいずれか一項に記載の方法を行うように構成されたコンピュータ可読命令を備える、非一時的コンピュータ可読媒体。
【請求項１５】
複数のアクセスポイント（ＡＰ）に対応する支援データを取得するための装置であって、
第１の支援データをデバイスから受信するための手段と、ここにおいて、前記第１の支援データが、前記複数のＡＰの間で共通である第１のグループデータを備え、前記第１のグループデータが、第１のグループ識別子（ＩＤ）によって識別される、
前記第１のグループＩＤ、および前記複数のＡＰの間の少なくとも１つのＡＰに対するＡＰ固有の情報のセットを受信するための手段と、
前記第１のグループＩＤおよびＡＰ固有の情報の前記セットに基づいて前記少なくとも１つのＡＰに対応するＡＰ近傍の情報を決定するための手段とを備える、装置。
【手続補正２】
【補正対象書類名】明細書
【補正対象項目名】００９０
【補正方法】変更
【補正の内容】
【００９０】
[00100]いくつかの実施形態を説明したので、様々な変更、代替構成、および等価物が、本開示の趣旨から逸脱することなく使用され得ることは、当業者には明らかとなろう。
以下に、本願の出願当初の特許請求の範囲に記載された発明を付記する。
［Ｃ１］
第１の複数のアクセスポイント（ＡＰ）に対応する支援データを提供するための方法であって、
第１の支援データをモバイルデバイスに提供することと、ここにおいて、前記第１の支援データが、前記第１の複数のＡＰの間で共通である第１のグループデータを備え、前記第１のグループデータが、第１のグループ識別子（ＩＤ）と関連付けられる、
前記第１のグループＩＤ、および前記第１の複数のＡＰのうちの少なくとも１つに対するＡＰ固有の情報のセットを提供することとを備える、方法。
［Ｃ２］
前記第１のグループデータが、前記第１の複数のＡＰに対する共通のロケーションエリアに対応する情報を備える、Ｃ１に記載の方法。
［Ｃ３］
前記第１のグループデータが、高度変更が前記共通のロケーションエリア内で許容されるかどうかの表示を備える、Ｃ２に記載の方法。
［Ｃ４］
前記第１のグループデータが、基準グリッドに対応する情報を備え、前記基準グリッドが、ＡＰ固有の情報の前記セットを決定することに使用される、Ｃ１に記載の方法。
［Ｃ５］
前記基準グリッドが、共通のグリッドポイント間隔、共通のグリッド原点および共通のグリッド方向のうちの少なくとも１つを備える、Ｃ４に記載の方法。
［Ｃ６］
前記第１のグループデータが、バージョンおよび有効期間のうちの少なくとも１つを備える、Ｃ１に記載の方法。
［Ｃ７］
前記第１のグループデータが、ＡＰ製造業者、ＡＰモデル、チップ製造業者、チップモデルおよびシグナリングタイプのうちの少なくとも１つの識別情報を備えるＡＰの１つまたは複数の共通の特性を備える、Ｃ１に記載の方法。
［Ｃ８］
前記第１の複数のＡＰの１つまたは複数の特性を解析することによって前記第１のグループデータを決定することをさらに備える、Ｃ１に記載の方法。
［Ｃ９］
第２の支援データを第２の複数のＡＰに対応する前記モバイルデバイスに提供することと、ここにおいて、前記第２の支援データが前記第２の複数のＡＰの間で共通である第２のグループデータを備え、前記第２のグループデータが第２のグループＩＤと関連付けられ、前記第２の複数のＡＰが前記第１の複数のＡＰ内の前記ＡＰのうちの少なくとも１つを備える、
前記第２のグループＩＤを提供することとをさらに備える、Ｃ１に記載の方法。
［Ｃ１０］
前記第１の複数のＡＰ内または前記第２の複数のＡＰ内の前記ＡＰのうちの少なくとも１つは、前記第１の複数のＡＰと前記第２の複数のＡＰの両方の中にあるわけではない、Ｃ９に記載の方法。
［Ｃ１１］
前記第１の支援データが、前記第２の支援データとは異なる、Ｃ９に記載の方法。
［Ｃ１２］
第１の複数のアクセスポイント（ＡＰ）に対応する支援データを提供するための装置であって、
第１の支援データをモバイルデバイスに提供するための手段と、ここにおいて、前記第１の支援データが、前記第１の複数のＡＰの間で共通である第１のグループデータを備え、前記第１のグループデータが、第１のグループ識別子（ＩＤ）と関連付けられる、
前記第１のグループＩＤ、および前記第１の複数のＡＰのうちの少なくとも１つに対するＡＰ固有の情報のセットを提供するための手段とを備える、装置。
［Ｃ１３］
前記第１のグループデータが、前記第１の複数のＡＰに対する共通のロケーションエリアに対応する情報を備える、Ｃ１２に記載の装置。
［Ｃ１４］
前記第１のグループデータが、基準グリッドに対応する情報を備え、前記基準グリッドが、ＡＰ固有の情報の前記セットを決定することに使用される、Ｃ１２に記載の装置。
［Ｃ１５］
前記第１のグループデータが、バージョンおよび有効期間のうちの少なくとも１つを備える、Ｃ１２に記載の装置。
［Ｃ１６］
前記第１のグループデータが、ＡＰ製造業者、ＡＰモデル、チップ製造業者、チップモデルおよびシグナリングタイプのうちの少なくとも１つの識別情報を備えるＡＰの共通の特性を備える、Ｃ１２に記載の装置。
［Ｃ１７］
前記第１の複数のＡＰの１つまたは複数の特性を解析することによって前記第１のグループデータを決定するための手段をさらに備える、Ｃ１２に記載の装置。
［Ｃ１８］
第２の支援データを第２の複数のＡＰに対応する前記モバイルデバイスに提供するための手段と、ここにおいて、前記第２の支援データが前記第２の複数のＡＰの間で共通である第２のグループデータを備え、前記第２のグループデータが第２のグループＩＤと関連付けられ、前記第２の複数のＡＰが前記第１の複数のＡＰ内の前記ＡＰのうちの少なくとも１つを備える、
前記第２のグループＩＤを提供するための手段とをさらに備える、Ｃ１２に記載の装置。
［Ｃ１９］
第１の複数のアクセスポイント（ＡＰ）に対応する支援データを提供するための非一時的コンピュータ可読媒体であって、
第１の支援データをモバイルデバイスに提供することと、ここにおいて、前記第１の支援データが、前記第１の複数のＡＰの間で共通である第１のグループデータを備え、前記第１のグループデータが、第１のグループ識別子（ＩＤ）と関連付けられる、
前記第１のグループＩＤ、および前記第１の複数のＡＰのうちの少なくとも１つに対するＡＰ固有の情報のセットを提供することとをプロセッサに行わせるように構成されたコンピュータ可読命令を備える、非一時的コンピュータ可読媒体。
［Ｃ２０］
前記第１のグループデータが、前記第１の複数のＡＰに対する共通のロケーションエリアに対応する情報を備える、Ｃ１９に記載のコンピュータ可読媒体。
［Ｃ２１］
前記第１のグループデータが、高度変更が前記共通のロケーションエリア内で許容されるかどうかの表示を備える、Ｃ２０に記載のコンピュータ可読媒体。
［Ｃ２２］
前記第１のグループデータが、基準グリッドに対応する情報を備え、前記基準グリッドが、ＡＰ固有の情報の前記セットを決定することに使用される、Ｃ１９に記載のコンピュータ可読媒体。
［Ｃ２３］
複数のアクセスポイント（ＡＰ）に対応する支援データを取得するための方法であって、
第１の支援データをデバイスから受信することと、ここにおいて、前記第１の支援データが、前記複数のＡＰの間で共通である第１のグループデータを備え、前記第１のグループデータが、第１のグループ識別子（ＩＤ）と関連付けられる、
前記第１のグループＩＤ、および前記複数のＡＰの間の少なくとも１つのＡＰに対するＡＰ固有の情報のセットを受信することと、
前記第１のグループＩＤおよびＡＰ固有の情報の前記セットに基づいて前記少なくとも１つのＡＰに対応するＡＰ近傍の情報を決定することとを備える、方法。
［Ｃ２４］
前記第１のグループデータが、前記複数のＡＰに対する共通のロケーションエリアに対応する情報を備える、Ｃ２３に記載の方法。
［Ｃ２５］
前記第１のグループデータが、高度変更が前記共通のロケーションエリア内で許容されるかどうかの表示を備える、Ｃ２４に記載の方法。
［Ｃ２６］
前記第１のグループデータが、前記複数のＡＰの各々に対応するＡＰ固有の情報を決定することに使用される基準グリッドに対応する情報を備える、Ｃ２３に記載の方法。
［Ｃ２７］
前記基準グリッドが、共通のグリッドポイント間隔、共通のグリッド原点および共通のグリッド方向のうちの少なくとも１つを備える、Ｃ２６に記載の方法。
［Ｃ２８］
前記第１のグループデータが、バージョンおよび有効期間のうちの少なくとも１つを備える、Ｃ２３に記載の方法。
［Ｃ２９］
前記第１のグループデータが、ＡＰ製造業者、ＡＰモデル、チップ製造業者、チップモデルおよびシグナリングタイプのうちの少なくとも１つの識別情報を備えるＡＰの１つまたは複数の共通の特性を備える、Ｃ２３に記載の方法。
［Ｃ３０］
第２の複数のＡＰに対応する第２の支援データを受信することをさらに備え、前記第２の支援データが前記第２の複数のＡＰの間で共通である第２のグループデータを備え、前記第２のグループデータが第２のグループＩＤと関連付けられ、前記第２の複数のＡＰが前記第１の複数のＡＰ内の前記ＡＰのうちの少なくとも１つを備える、Ｃ２３に記載の方法。